(57)【要約】  切替制御回路であって、パルス幅変調モジュール（１０１）、レベル変換モジュール（１０５）、コンデンサ（１０４）、過電流保護モジュール（１０２）、及び制御モジュール（１０３）を含み、レベル変換モジュール（１０５）内に１つの電流源（１０５１）が設置され、コンデンサ（１０４）が電流源に接続され、過電流保護モジュール（１０２）がレベル変換モジュール（１０５）に接続され、制御モジュール（１０３）は設定時間内に過電流保護モジュール（１０２）の保護機能をオン又はオフすることに用いられ、制御モジュールは１つのスイッチング素子（１０３１）を含み、スイッチング素子（１０３１）の入力端子が前記コンデンサ（１０４）の出力端子に接続され、スイッチング素子（１０３１）の出力端子が過電流保護モジュール（１０２）に接続される。
2020532275.tif 000002
【特許請求の範囲】
【請求項１】
切替制御回路であって、パルス幅変調モジュール、レベル変換モジュール、コンデンサ、過電流保護モジュール、及び制御モジュールを含み、
前記レベル変換モジュールが前記パルス幅変調モジュールの出力端子に接続され、前記レベル変換モジュール内に１つの電流源が設置され、
前記コンデンサの入力端子が前記電流源の出力端子に接続され、前記電流源が前記コンデンサに定電流レベルを供給し、
前記過電流保護モジュールが前記レベル変換モジュールの出力端子に接続され、
前記制御モジュールは、設定時間内に前記過電流保護モジュールの過電流保護機能をオン又はオフすることに用いられ、前記制御モジュールは１つのスイッチング素子を含み、前記スイッチング素子の入力端子が前記コンデンサの出力端子に接続され、前記スイッチング素子の出力端子が前記過電流保護モジュールの制御端子に接続され、前記設定時間はオン操作又はオフ操作に対応する時点からの所定時間である、切替制御回路。
【請求項２】
前記スイッチング素子は比較器であり、前記比較器は正方向入力端子、逆方向入力端子及び出力端子を含み、
前記比較器の正方向入力端子が前記コンデンサの出力端子に接続され、前記比較器の逆方向入力端子が基準電圧にアクセスし、前記比較器の出力端子が前記過電流保護モジュールに接続される、請求項１に記載の切替制御回路。
【請求項３】
前記スイッチング素子はトランジスタであり、前記トランジスタは入力端子、出力端子及び制御端子を含み、
前記トランジスタの制御端子が前記コンデンサの出力端子に接続され、前記トランジスタの入力端子が起動電源に接続され、前記トランジスタの出力端子が前記過電流保護モジュールに接続される、請求項１に記載の切替制御回路。
【請求項４】
前記過電流保護モジュールの出力端子がＧＯＡ駆動回路に接続される、請求項１に記載の切替制御回路。
【請求項５】
切替制御回路であって、パルス幅変調モジュール、レベル変換モジュール、コンデンサ、過電流保護モジュール、及び制御モジュールを含み、
前記レベル変換モジュールが前記パルス幅変調モジュールの出力端子に接続され、前記レベル変換モジュール内に１つの電流源が設置され、
前記コンデンサの入力端子が前記電流源の出力端子に接続され、前記電流源が前記コンデンサに定電流レベルを供給し、
前記過電流保護モジュールが前記レベル変換モジュールの出力端子に接続され、
前記制御モジュールは、設定時間内に前記過電流保護モジュールの過電流保護機能をオン又はオフすることに用いられ、前記制御モジュールは１つのスイッチング素子を含み、前記スイッチング素子の入力端子が前記コンデンサの出力端子に接続され、前記スイッチング素子の出力端子が前記過電流保護モジュールの制御端子に接続される、切替制御回路。
【請求項６】
前記スイッチング素子は比較器であり、前記比較器は正方向入力端子、逆方向入力端子及び出力端子を含み、
前記比較器の正方向入力端子が前記コンデンサの出力端子に接続され、前記比較器の逆方向入力端子が基準電圧にアクセスし、前記比較器の出力端子が前記過電流保護モジュールに接続される、請求項５に記載の切替制御回路。
【請求項７】
前記スイッチング素子はトランジスタであり、前記トランジスタは入力端子、出力端子及び制御端子を含み、
前記トランジスタの制御端子が前記コンデンサの出力端子に接続され、前記トランジスタの入力端子が起動電源に接続され、前記トランジスタの出力端子が前記過電流保護モジュールに接続される、請求項５に記載の切替制御回路。
【請求項８】
前記過電流保護モジュールの出力端子がＧＯＡ駆動回路に接続される、請求項５に記載の切替制御回路。
【請求項９】
液晶ディスプレイパネルであって、
ディスプレイパネル本体及び切替制御回路を含み、前記切替制御回路はパルス幅変調モジュール、レベル変換モジュール、コンデンサ、過電流保護モジュール、及び制御モジュールを含み、
前記レベル変換モジュールが前記パルス幅変調モジュールの出力端子に接続され、前記レベル変換モジュール内に１つの電流源が設置され、
前記コンデンサの入力端子が前記電流源の出力端子に接続され、前記電流源が前記コンデンサに定電流レベルを供給し、
前記過電流保護モジュールが前記レベル変換モジュールの出力端子に接続され、
前記制御モジュールは、設定時間内に前記過電流保護モジュールの過電流保護機能をオン又はオフすることに用いられ、前記制御モジュールは１つのスイッチング素子を含み、前記スイッチング素子の入力端子が前記コンデンサの出力端子に接続され、前記スイッチング素子の出力端子が前記過電流保護モジュールの制御端子に接続される、液晶ディスプレイパネル。
【請求項１０】
前記スイッチング素子は比較器であり、前記比較器は正方向入力端子、逆方向入力端子及び出力端子を含み、
前記比較器の正方向入力端子が前記コンデンサの出力端子に接続され、前記比較器の逆方向入力端子が基準電圧にアクセスし、前記比較器の出力端子が前記過電流保護モジュールに接続される、請求項９に記載の液晶ディスプレイパネル。
【請求項１１】
前記スイッチング素子はトランジスタであり、前記トランジスタは入力端子、出力端子及び制御端子を含み、
前記トランジスタの制御端子が前記コンデンサの出力端子に接続され、前記トランジスタの入力端子が起動電源に接続され、前記トランジスタの出力端子が前記過電流保護モジュールに接続される、請求項９に記載の液晶ディスプレイパネル。
【請求項１２】
前記設定時間はオン操作又はオフ操作に対応する時点からの所定時間である、請求項９に記載の液晶ディスプレイパネル。
【請求項１３】
前記過電流保護モジュールの出力端子がＧＯＡ駆動回路に接続される、請求項９に記載の液晶ディスプレイパネル。
【発明の詳細な説明】
【技術分野】
【０００１】
本発明は液晶表示の技術分野に関し、特に切替制御回路及び前記切替制御回路を有する液晶ディスプレイパネルに関する。
【背景技術】
【０００２】
従来のＴＦＴ  ＬＣＤパネル駆動では、各種の電源の使用がますます多くなり、例えばＬｅｖｅｌ  Ｓｈｉｆｔｅｒ（レベル変換回路）、ＰＷＭ  ＩＣ（パルス幅変調回路）等であり、従来のパネルの経年劣化、出力容量、切替時間間隔等によって、切替中、しばしば大電流等の課題が生じ、実際に、このような大電流は正常時に発生するものではなく、且つスイッチをオンにする時にしか発生しないが、スイッチをオンにする時、過電流保護がトリガーされ、パネルの正常な切替、正常な動作が不能になることを招く。
【０００３】
以上のように、従来の液晶ディスプレイパネルは、切替時に電流が増大して過電流保護を引き起こしやすく、パネルの正常な切替が不能になることを招くということが存在する。
【発明の概要】
【発明が解決しようとする課題】
【０００４】
本発明は切替制御回路を提供し、パネルの切替時に過電流保護を誤トリガーすることを回避でき、更にパネルの正常な切替を実現することにより、従来の液晶ディスプレイパネルでは切替時に電流が増大して過電流保護を引き起こしやすく、パネルの正常な切替が不能になることを招くという技術的課題を解決する。
【課題を解決するための手段】
【０００５】
上記課題を解決するために、本発明が提供する技術的手段は以下の通りである。
【０００６】
本発明は切替制御回路を提供し、パルス幅変調モジュール、レベル変換モジュール、コンデンサ、過電流保護モジュール、及び制御モジュールを含み、レベル変換モジュールが前記パルス幅変調モジュールの出力端子に接続され、前記レベル変換モジュール内に１つの電流源が設置され、前記コンデンサの入力端子が前記電流源の出力端子に接続され、前記電流源が前記コンデンサに定電流レベルを供給し、過電流保護モジュールが前記レベル変換モジュールの出力端子に接続され、制御モジュールは、設定時間内に前記過電流保護モジュールの過電流保護機能をオン又はオフすることに用いられ、前記制御モジュールは１つのスイッチング素子を含み、前記スイッチング素子の入力端子が前記コンデンサの出力端子に接続され、前記スイッチング素子の出力端子が前記過電流保護モジュールの制御端子に接続され、前記設定時間はオン操作又はオフ操作に対応する時点からの所定時間である。
【０００７】
本発明の一好適実施例では、前記スイッチング素子は比較器であり、前記比較器は正方向入力端子、逆方向入力端子及び出力端子を含み、前記比較器の正方向入力端子が前記コンデンサの出力端子に接続され、前記比較器の逆方向入力端子が基準電圧にアクセスし、前記比較器の出力端子が前記過電流保護モジュールに接続される。
【０００８】
本発明の一好適実施例では、前記スイッチング素子はトランジスタであり、前記トランジスタは入力端子、出力端子及び制御端子を含み、前記トランジスタの制御端子が前記コンデンサの出力端子に接続され、前記トランジスタの入力端子が起動電源に接続され、前記トランジスタの出力端子が前記過電流保護モジュールに接続される。
【０００９】
本発明の一好適実施例では、前記過電流保護モジュールの出力端子がＧＯＡ駆動回路に接続される。
【００１０】
本発明はさらに切替制御回路を提供し、パルス幅変調モジュール、レベル変換モジュール、コンデンサ、過電流保護モジュール、及び制御モジュールを含み、レベル変換モジュールが前記パルス幅変調モジュールの出力端子に接続され、前記レベル変換モジュール内に１つの電流源が設置され、前記コンデンサの入力端子が前記電流源の出力端子に接続され、前記電流源が前記コンデンサに定電流レベルを供給し、過電流保護モジュールが前記レベル変換モジュールの出力端子に接続され、制御モジュールは、設定時間内に前記過電流保護モジュールの過電流保護機能をオン又はオフすることに用いられ、前記制御モジュールは１つのスイッチング素子を含み、前記スイッチング素子の入力端子が前記コンデンサの出力端子に接続され、前記スイッチング素子の出力端子が前記過電流保護モジュールの制御端子に接続される。
【００１１】
本発明の一好適実施例では、前記スイッチング素子は比較器であり、前記比較器は正方向入力端子、逆方向入力端子及び出力端子を含み、前記比較器の正方向入力端子が前記コンデンサの出力端子に接続され、前記比較器の逆方向入力端子が基準電圧にアクセスし、前記比較器の出力端子が前記過電流保護モジュールに接続される。
【００１２】
本発明の一好適実施例では、前記スイッチング素子はトランジスタであり、前記トランジスタは入力端子、出力端子及び制御端子を含み、前記トランジスタの制御端子が前記コンデンサの出力端子に接続され、前記トランジスタの入力端子が起動電源に接続され、前記トランジスタの出力端子が前記過電流保護モジュールに接続される。
【００１３】
本発明の一好適実施例では、前記過電流保護モジュールの出力端子がＧＯＡ駆動回路に接続される。
【００１４】
本発明の上記目的によれば、液晶ディスプレイパネルを提案し、ディスプレイパネル本体及び切替制御回路を含み、前記切替制御回路は、パルス幅変調モジュール、レベル変換モジュール、コンデンサ、過電流保護モジュール、及び制御モジュールを含み、レベル変換モジュールが前記パルス幅変調モジュールの出力端子に接続され、前記レベル変換モジュール内に１つの電流源が設置され、前記コンデンサの入力端子が前記電流源の出力端子に接続され、前記電流源が前記コンデンサに定電流レベルを供給し、過電流保護モジュールが前記レベル変換モジュールの出力端子に接続され、制御モジュールは、設定時間内に前記過電流保護モジュールの過電流保護機能をオン又はオフすることに用いられ、前記制御モジュールは１つのスイッチング素子を含み、前記スイッチング素子の入力端子が前記コンデンサの出力端子に接続され、前記スイッチング素子の出力端子が前記過電流保護モジュールの制御端子に接続される。
【００１５】
本発明の一好適実施例では、前記スイッチング素子は比較器であり、前記比較器は正方向入力端子、逆方向入力端子及び出力端子を含み、前記比較器の正方向入力端子が前記コンデンサの出力端子に接続され、前記比較器の逆方向入力端子が基準電圧にアクセスし、前記比較器の出力端子が前記過電流保護モジュールに接続される。
【００１６】
本発明の一好適実施例では、前記スイッチング素子はトランジスタであり、前記トランジスタは入力端子、出力端子及び制御端子を含み、前記トランジスタの制御端子が前記コンデンサの出力端子に接続され、前記トランジスタの入力端子が起動電源に接続され、前記トランジスタの出力端子が前記過電流保護モジュールに接続される。
【００１７】
本発明の一好適実施例では、前記設定時間はオン操作又はオフ操作に対応する時点からの所定時間である。
【００１８】
本発明の一好適実施例では、前記過電流保護モジュールの出力端子がＧＯＡ駆動回路に接続される。
【発明の効果】
【００１９】
本発明の有益な効果は以下のとおりである。従来の切替制御回路に比べて、本発明の切替制御回路は、切替制御回路内に制御モジュールが設置されることで、過電流保護回路が適時にオンになるように制御し、更にパネルの正常な切替を実現し、従来の液晶ディスプレイパネルに存在する、切替時に電流が増大して過電流保護を引き起こしやすく、パネルの正常な切替が不能になることを招くという技術的問題を解決する。
【図面の簡単な説明】
【００２０】
実施例又は従来技術の技術的手段をより明確に説明するために、以下、実施例又は従来技術の説明に使用される必要がある図面を簡単に説明し、明らかなように、以下説明における図面は、単に発明のいくつかの実施例に過ぎず、当業者であれば、創造的な努力をせずにこれらの図面に基づきほかの図面を取得し得る。
【００２１】
【図１】図１は本発明における切替制御回路の動作原理図である。
【発明を実施するための形態】
【００２２】
以下、各実施例の説明は、添付図面を参照して行われ、本発明を実施するための特定の実施例を例示することに用いられる。本発明に言及される方向用語、例えば「上」、「下」、「前」、「後」、「左」、「右」、「内」、「外」、「側面」等は単に添付図面を参照する方向である。従って、使用される方向用語は本発明を説明及び理解するためのものであり、本発明を限定するためのものではない。図中、構造が類似であるユニットは同一符号で示される。
本発明は、従来の液晶ディスプレイパネルに存在する、切替時に電流が増大して過電流保護を引き起こしやすく、パネルの正常な切替が不能になることを招く技術的課題に鑑みてなされ、本実施例はこのような欠陥を解決することができる。
【００２３】
図１に示すように、本発明の切替制御回路は、パルス幅変調モジュール１０１、レベル変換モジュール１０５、及びコンデンサ１０４を含み、前記パルス幅変調モジュール１０１は可変パルス幅のパルス信号を発生させることに用いられ、レベル変換モジュール１０５は、入力電流を高レベルと低レベルの間に変換することに用いられ、前記レベル変換モジュール１０５内に１つの電流源１０５１が設置され、前記電流源１０５１は定電流レベルを供給することに用いられ、コンデンサ１０４は、前記レベル変換モジュール１０５の外部に設置され、前記コンデンサ１０４の入力端子が前記電流源１０５１の出力端子に接続され、前記電流源１０５１によって前記コンデンサ１０４を充電し、前記コンデンサ１０４の出力端子が１つの制御信号を出力する。
【００２４】
前記切替制御回路はさらに過電流保護モジュール１０２を含み、前記過電流保護モジュール１０２が前記レベル変換モジュール１０５に接続され、前記レベル変換モジュール１０５と前記過電流保護モジュール１０２との間に制御モジュール１０３が設置され、前記制御モジュール１０３は少なくとも１つのスイッチング素子１０３１を含み、前記スイッチング素子１０３１の入力端子が前記コンデンサ１０４の出力端子に接続され、前記スイッチング素子１０３１の出力端子が前記過電流保護モジュール１０２の制御端子に接続される。
【００２５】
前記過電流保護モジュール１０２の出力端子が画素の表示を駆動するためのＧＯＡ（Ｇａｔｅ  Ｄｒｉｖｅｒ  ｏｎ  Ａｒｒａｙ、アレイ基板行駆動技術）回路に接続され、前記過電流保護モジュール１０２は瞬時に大電流が通過する時に電流をプルダウンし且つ出力することができ、それによって前記ＧＯＡ回路を過負荷電流による損傷から保護する。
【００２６】
前記制御モジュール１０３は、設定時間内に前記過電流保護モジュール１０２の過電流保護機能をオン又はオフし、更に前記ＧＯＡ回路に入る電流の大きさを選択的に制御することに用いられる。
【００２７】
液晶ディスプレイパネルの電源がオンする時、電流が前記パルス幅変調モジュール１０１を通過し、前記パルス幅変調モジュール１０１がパルス信号を出力し、前記出力パルス信号が前記レベル変換モジュール１０５に入り、前記レベル変換モジュール１０５内に設置された前記電流源１０５１が定電流レベルを出力し、それにより前記コンデンサ１０４を充電し、前記パルス信号のパルス幅が前記コンデンサ１０４の充電時間を制御し、更に前記コンデンサ１０４の電圧を制御することができ、前記スイッチング素子１０３１が前記コンデンサ１０４の電圧に基づき、前記過電流保護モジュール１０２に対応する信号を出力し、前記過電流保護モジュール１０２が入力された信号に基づき過電流保護機能をオンするか否かを決定し、例えば、オンする瞬時に、前記過電流保護モジュール１０２を通過する電流に対してプルダウン制御を行わず、それによりＧＯＡ回路を正常にオンし、さらに、例えば、オンしてから所定時間後、前記過電流保護モジュール１０２を通過する電流に対してプルダウン制御を行い、電流が前記ＧＯＡ回路に入り、それにより液晶ディスプレイパネルを駆動する。
【００２８】
前記スイッチング素子１０３１は比較器であり、前記比較器は正方向入力端子、逆方向入力端子及び出力端子を含み、前記比較器の正方向入力端子が前記コンデンサ１０４の出力端子に接続され、前記比較器の逆方向入力端子が基準電圧にアクセスし、前記比較器の出力端子が前記過電流保護モジュール１０２に接続される。
【００２９】
切替制御回路の動作時、前記コンデンサ１０４が前記比較器に制御電圧を供給し、前記比較器が前記制御電圧と前記基準電圧とを比較した後、高レベル又は低レベルを出力することで前記過電流保護回路モジュールを制御し、例えば、前記制御電圧が前記基準電圧未満であると、前記比較器が低レベルを出力し、前記過電流保護モジュール１０２がオフし、前記制御電圧が前記基準電圧より高いと、前記比較器が低レベルを出力し、前記過電流保護モジュール１０２がオンする。
【００３０】
例えば、前記スイッチング素子１０３１はトランジスタを選択してもよく、前記トランジスタは入力端子、出力端子及び制御端子を含み、前記トランジスタの制御端子が前記コンデンサ１０４の出力端子に接続され、前記トランジスタの入力端子が１つの起動電源に接続され、前記トランジスタの出力端子が前記過電流保護モジュール１０２に接続され、前記コンデンサ１０４が前記トランジスタの制御端子に制御電圧を供給し、前記起動電源が前記過電流保護モジュール１０２にオン電圧を供給し、前記制御電圧が前記トランジスタを導通する電圧値に達した後、前記オン電圧が前記トランジスタの入力端子を経由して、且つ前記トランジスタの出力端子を経由して前記過電流保護モジュール１０２に出力され、更に前記過電流保護モジュール１０２をオンする。
【００３１】
切替制御回路の動作時、前記コンデンサ１０４が前記トランジスタの制御端子に制御電圧を供給し、Ｎ型ＭＯＳトランジスタを例にすると、前記コンデンサ１０４が前記トランジスタの制御端子に高レベル制御電圧を供給し、前記ＭＯＳトランジスタが導通し、前記オン電圧が前記過電流保護モジュール１０２に入った後、前記過電流保護モジュール１０２をオンし、例えば、オン操作の設定時間内に、前記コンデンサ１０４が前記トランジスタの制御端子に低レベル制御電圧を供給し、前記ＭＯＳトランジスタが遮断されると、前記オン電圧が前記過電流保護モジュール１０２に入らず、前記過電流保護モジュール１０２が過電流保護機能をオフする。
【００３２】
本発明の上記目的によれば、液晶ディスプレイパネルを提案し、ディスプレイパネル本体及び切替制御回路を含み、前記切替制御回路は、パルス幅変調モジュール、レベル変換モジュール、コンデンサ、過電流保護モジュール、及び制御モジュールを含み、レベル変換モジュールが前記パルス幅変調モジュールの出力端子に接続され、前記レベル変換モジュール内に１つの電流源が設置され、前記コンデンサの入力端子が前記電流源の出力端子に接続され、前記電流源が前記コンデンサに定電流レベルを供給し、過電流保護モジュールが前記レベル変換モジュールの出力端子に接続され、制御モジュールは、設定時間内に前記過電流保護モジュールの過電流保護機能をオン又はオフすることに用いられ、前記制御モジュールは１つのスイッチング素子を含み、前記スイッチング素子の入力端子が前記コンデンサの出力端子に接続され、前記スイッチング素子の出力端子が前記過電流保護モジュールの制御端子に接続される。
【００３３】
本好適実施例の液晶ディスプレイパネルの動作原理は上記好適実施例の液晶ディスプレイパネルの切替制御回路の動作原理と同じであり、具体的には、上記好適実施例の液晶ディスプレイパネルの切替制御回路の動作原理を参照でき、ここでは重複説明を省略する。
【００３４】
以上のように、本発明の好適実施例を開示したが、上記好適実施例は本発明を限定するためのものではなく、当業者であれば、本発明の精神及び範囲を逸脱せずに種々の変更や修飾を行うことができ、従って、本発明の保護範囲は特許請求の範囲により定められた範囲に準じる。
【符号の説明】
【００３５】
１０１  パルス幅変調モジュール
１０２  過電流保護モジュール
１０３  制御モジュール
１０４  コンデンサ
１０５  レベル変換モジュール
１０３１  スイッチング素子
１０５１  電流源
【図１】
2020532275.tif 000003
【国際調査報告】
2020532275.tif 000004
2020532275.tif 000005
2020532275.tif 000006
2020532275.tif 000007